(57)【要約】【課題】  粘着フィルムをカットする面倒な作業を不要にして作業性を向上し、手や人体へのインクの付着による煩わしさを無くす。【解決手段】  インクを転着する粘着面を有する粘着フィルムＰと、粘着フィルムＰの粘着面Ｐ２を表にして正回転方向にロール状に捲回保持した引き出しローラ２と、引き出しローラ２に圧接し、粘着フィルムＰの引き出し先端側を粘着面Ｐ２を裏にして逆回転方向にロール状に巻き取る巻き取りローラ３とを支持枠部材４に配装する。支持枠部材４は、引き出しローラ２を回転可能に支承する第１アーム６を固定ベース５に固定し、第１アーム６に形成した長孔６Ｂ内で、巻き取りローラ３を回転可能に支承する第２アーム７を可動ベース１２に固定し、長孔６Ｂに沿って第２アーム７を第１アーム６の先端側に付勢する弾性部材８を固定ベース５に設けて成る。【選択図】      図１
0003116334.tif 000002
【実用新案登録請求の範囲】
【請求項１】
基材フィルムの片面にインクを転着させる粘着面を形成して成る粘着フィルムと、該粘着フィルムの粘着面を表にして正回転方向にロール状に捲回保持させた引き出しローラと、該引き出しローラに圧接され、粘着フィルムの引き出し先端側を粘着面を裏にして逆回転方向にロール状に巻き取り可能とした巻き取りローラと、引き出しローラから引き出した粘着フィルムを巻き取りローラに巻き取らせるよう粘着フィルムを介在させて引き出しローラ、巻き取りローラを圧接状に回転自在に支持する支持枠部材とを備えて成ることを特徴とするスクリーン印刷機におけるスクリーン版清掃装置。
【請求項２】
支持枠部材は、固定ベースと、この固定ベースに後端側が固定され、引き出しローラを回転可能に支承する支軸両端を先端側でネジ止め固定する左右一対の第１アームと、固定ベースに対して固定ベースの後方側で固定ベースに案内されて進退する可動ベースと、第１アームの後端側に形成された長孔内で、巻き取りローラを回転可能に支承する支軸両端を先端側でネジ止め固定して可動ベースに連繋した左右一対の第２アームと、第１アームの長孔に沿って第２アームを第１アームの先端側に付勢するよう固定ベース上に縮装配置した弾性部材とを備えている請求項１記載のスクリーン印刷機におけるスクリーン版清掃装置。
【請求項３】
第１アームの長孔後端側と、第２アームの先端側にある巻き取りローラの支軸固定部分とには、該巻き取りローラの支軸を抜脱可能とした開放部を有する請求項２記載のスクリーン印刷機におけるスクリーン版清掃装置。
【請求項４】
第１アームの長孔は側面でほぼＬ字状に形成されており、これの開放部は第２アームの支軸固定部分の開放部と共にそれぞれ側方に向けられている請求項３記載のスクリーン印刷機におけるスクリーン版清掃装置。
【請求項５】
可動ベース上に立脚固定したストッパーポストを固定ベースに進退自在に貫挿すると共に、固定ベース上にはストッパーポストが後退位置にあるときにストッパーポストに係止するストッパー片をスライド自在に設けてある請求項２乃至４記載のスクリーン印刷機におけるスクリーン版清掃装置。
【請求項６】
固定ベースには、グリップを備えた請求項１乃至５のいずれか記載のスクリーン印刷機におけるスクリーン版清掃装置。
【請求項７】
固定ベースは、スクリーン印刷機のスクリーン版裏面側に引き出しローラが対向配置されるよう当該スクリーン印刷機のスクリーン版下方側に配した請求項１乃至５のいずれか記載のスクリーン印刷機におけるスクリーン版清掃装置。
【考案の詳細な説明】
【技術分野】
【０００１】
本考案は、スクリーン印刷機におけるスクリーン版の裏面に残置付着した滲みインク等を粘着フィルムによって転着除去するためのスクリーン印刷機におけるスクリーン版清掃装置に関するものである。
【背景技術】
【０００２】
従来、スクリーン印刷機におけるスクリーン版の裏面に残置付着した滲みインク等を除去するためには、グリップの先端に横向きにして設けた支軸に、粘着フィルムが連続して捲回されているローラを回転可能に枢着して成るハンデイタイプのローラ式清掃具が使用される。このとき、ローラに捲回されている粘着フィルムの粘着面をスクリーン版の裏面に当ててから、グリップを持って転動させることで滲みインクを転着除去している。そして、再度使用する場合には、インクが吸着されている３６０°周面の粘着フィルムをカットして粘着フィルムの新たな粘着面を露出させてから同様に転動させて使用する。このように清掃の一回ごとにインクで汚れた粘着フィルムをカットしてから滲みインクの除去清掃を行なうのであった。
【０００３】
また、スクリーン版の裏面に残置付着した滲みインクを除去するための他の方式としては、引き出しローラに粘着フィルムが連続して捲回され、該粘着フィルムの引き出し先端側を当該引き出しローラから離隔配置されている拭きローラを介して引っ張りながら、引き出しローラ、拭きローラそれぞれから離れた位置にある巻き取りローラによって巻き込ませるという大掛かりなローラ式自動清掃装置がある。この場合、粘着フィルムの粘着面を拭きローラでもってスクリーン版の裏面に圧接させ、巻き取りローラによる粘着フィルムの巻き取り動作に同期するようにしてスクリーン版を拭きローラ上側で移動させるか、または拭きローラをスクリーン版下面側で移動させるかして、スクリーン版の裏面に残置付着した滲みインクを除去するのである。
【０００４】
【特許文献１】特になし
【考案の開示】
【考案が解決しようとする課題】
【０００５】
しかしながら、従来のようなハンディタイプのローラ式清掃具では、清掃の一回ごとにインクで汚れた粘着フィルムをカットするという手間が掛かるため作業性が劣ると共に、カットされた汚れた粘着フィルムによってその除去したインクが手や人体にインクが付着する虞れもある。
【０００６】
また、従来のローラ式自動清掃装置では、引き出しローラ、拭きローラ、巻き取りローラという互いに離隔配置させている各部材によって多くの空間が占有されてしまい、装置自体が大型となり且つコストも掛かりすぎてしまう。しかも、引き出しローラ、拭きローラ、巻き取りローラ相互間で粘着フィルムが張架状に露出しているため、粘着フィルムを引き出しローラから拭きローラを介して巻き取りローラに巻き込ませる際に、スクリーン版に対する粘着面の粘性抵抗によって粘着フィルム自体の張架露出面が弛んで皺を生じさせてしまい、これによってインクが完全に除去されなくなるという虞れがある。
【０００７】
そこで、本考案は叙上のような従来存した諸事情に鑑み案出されたもので、粘着フィルムをカットするという面倒な作業を不要として作業性を向上させ、且つ作業者の手や人体、着衣等へのインクの付着による煩わしさ、汚損を無くすと共に、清掃中の粘着フィルム自体に皺を生じさせずに、印刷時に起こるスクリーン版裏面の滲みインクを容易且つ完全に除去することのできるスクリーン印刷機におけるスクリーン版清掃装置を提供することを目的とする。
【課題を解決するための手段】
【０００８】
上述した課題を解決するため、本考案にあっては、基材フィルムＰ１の片面にインクを転着させる粘着面Ｐ２を形成して成る粘着フィルムＰと、該粘着フィルムＰの粘着面Ｐ２を表にして正回転方向にロール状に捲回保持させた引き出しローラ２と、該引き出しローラ２に圧接され、粘着フィルムＰの引き出し先端側を粘着面Ｐ２を裏にして逆回転方向にロール状に巻き取り可能とした巻き取りローラ３と、引き出しローラ２から引き出した粘着フィルムＰを巻き取りローラ３に巻き取らせるよう粘着フィルムＰを介在させて引き出しローラ２、巻き取りローラ３を圧接状に回転自在に支持する支持枠部材４とを備えて成ることで、スクリーン版清掃装置１を構成したものである。
支持枠部材４は、固定ベース５と、この固定ベース５に後端側が固定され、引き出しローラ２を回転可能に支承する支軸１０両端を先端側でネジ止め固定する左右一対の第１アーム６と、固定ベース５に対して固定ベース５の後方側で固定ベース５に案内されて進退する可動ベース１２と、第１アーム６の後端側に形成された長孔６Ｂ内で、巻き取りローラ３を回転可能に支承する支軸１０両端を先端側でネジ止め固定して可動ベース１２に連繋した左右一対の第２アーム７と、第１アーム６の長孔６Ｂに沿って第２アーム７を第１アーム６の先端側に付勢するよう固定ベース５上に縮装配置した弾性部材８とを備えているものとすることができる。
第１アーム６の長孔６Ｂ後端側と、第２アーム７の先端側にある巻き取りローラ３の支軸１０固定部分とには、該巻き取りローラ３の支軸１０を抜脱可能とした開放部９を有し、第１アーム６の長孔６Ｂ側面でほぼＬ字状に形成されており、これの開放部９は第２アーム７の支軸固定部分の開放部９と共にそれぞれ側方に向けられているものとすることができる。
可動ベース１２上に立脚固定したストッパーポスト１５を固定ベース５に進退自在に貫挿すると共に、固定ベース５上にはストッパーポスト１５が後退位置にあるときにストッパーポスト１５に係止するストッパー片１６をスライド自在に設けることができる。
固定ベース５には、グリップ５Ａを備えて構成したり、スクリーン印刷機のスクリーン版Ｑ裏面側に引き出しローラ２が対向配置されるよう当該スクリーン印刷機のスクリーン版Ｑ下方側に配して構成したりすることができる。
【０００９】
以上のように構成された本考案に係るスクリーン印刷機におけるスクリーン版清掃装置１にあって、粘着フィルムＰの粘着面Ｐ２を表にして正回転方向にロール状に捲回保持させた引き出しローラ２をスクリーン印刷機のスクリーン版Ｑ裏面側に当接させて当該引き出しローラ２を粘着フィルムＰの引き出し方向に転動させることで、印刷時に生じたスクリーン版Ｑ裏面の滲みインクを転着除去させる。このとき、引き出しローラ２に圧接されている巻き取りローラ３が当該引き出しローラ２と反対方向に回転するため、粘着フィルムＰはこの汚れた粘着面Ｐ２を裏にして当該巻き取りローラ３にロール状に巻き込ませられる。
固定ベース５上に縮装配置した弾性部材８は、第１アーム６の長孔６Ｂに沿って第２アーム７を第１アーム６の先端側に付勢することとなるため、引き出しローラ２から引き出された粘着フィルムＰが巻き取りローラ３に巻き取られる動作中、巻き取りローラ３を引き出しローラ２側に常に圧接した状態を維持させ、これによって引き出しローラ２から巻き取りローラ３への粘着フィルムＰのＳ字状の送りを円滑にさせる。
第１アーム６の長孔６Ｂ、第２アーム７の巻き取りローラ３支軸１０固定部分それぞれの開放部９は、第１アーム６の長孔６Ｂに沿って第２アーム７を弾性部材８の弾発力に抗して後方移動させて両アームの開放部９同士を合致させた状態とすることで、当該開放部９から巻き取りローラ３の支軸１０を抜脱可能にさせる。
このとき、可動ベース１２を弾性部材８の弾発力に抗して後退させるとき、ストッパーポスト１５にストッパー片１６を係止させることで、弾性部材８による可動ベース１２の固定ベース５側への復帰を規制し、引き出しローラ２、巻き取りローラ３相互の離反状態を保持させ、これらの交換作業を円満に行なわせる。
また、固定ベース５にグリップ５Ａを備えたことで、ハンディタイプとしたスクリーン版清掃装置１を形成可能にさせる。
スクリーン印刷機のスクリーン版Ｑ裏面側に引き出しローラ２が対向配置されるよう当該スクリーン印刷機のスクリーン版Ｑ下方側に固定ベース５を配したことで、スクリーン印刷機取付タイプのスクリーン版清掃装置１を形成可能にさせる。
【考案の効果】
【００１０】
本考案によれば、粘着フィルムＰをカットするという面倒な作業を不要とし、連続して間断なく滲みインク等の除去作業を遂行できることで作業性を向上させ、且つ作業者等の手や人体、着衣更には周囲機器その他にインクの付着による煩わしさを無くし、それらが汚染される虞れも無いと共に、清掃中の粘着フィルムＰ自体に皺を生じさせずに済み、印刷時に起こるスクリーン版Ｑ裏面の滲みインクを転着させることで容易且つ完全に除去することができる。
【００１１】
すなわちこれは本考案が、基材フィルムＰ１の片面にインクを転着させる粘着面Ｐ２を形成して成る粘着フィルムＰと、該粘着フィルムＰの粘着面Ｐ２を表にして正回転方向にロール状に捲回保持させた引き出しローラ２と、該引き出しローラ２に圧接され、粘着フィルムＰの引き出し先端側を粘着面Ｐ２を裏にして逆回転方向にロール状に巻き取り可能とした巻き取りローラ３と、引き出しローラ２から引き出した粘着フィルムＰを巻き取りローラ３に巻き取らせるよう粘着フィルムＰを介在させて引き出しローラ２、巻き取りローラ３を圧接状に回転自在に支持する支持枠部材４とを備えたからであり、これにより、粘着フィルムＰはこの汚れた粘着面Ｐ２を裏にして当該巻き取りローラ３に巻き込ませることができ、従来のように粘着フィルムＰをカットするという面倒な作業を不要として作業性を向上でき、且つ手や人体へのインクの付着による煩わしさ、汚染等を無くすことができる。
【００１２】
支持枠部材４は、固定ベース５と、この固定ベース５に後端側が固定され、引き出しローラ２を回転可能に支承する支軸１０両端を先端側でネジ止め固定する左右一対の第１アーム６と、固定ベース５に対して固定ベース５の後方側で固定ベース５に案内されて進追する可動ベース１２と、第１アーム６の後端側に形成された長孔６Ｂ内で、巻き取りローラ３を回転可能に支承する支軸１０両端を先端側でネジ止め固定して可動ベース１２に連繋した左右一対の第２アーム７と、第１アーム６の長孔６Ｂに沿って第２アーム７を第１アーム６の先端側に付勢するよう固定ベース５上に縮装配置した弾性部材８とを備えているので、引き出しローラ２から引き出された粘着フィルムＰが巻き取りローラ３に巻き取られる動作中、巻き取りローラ３を引き出しローラ２側に常に圧接した状態を維持させることができる。これによって粘着フィルムＰ自体に皺を生じさぜずにスムーズに当該粘着フィルムＰを巻き取りローラ３に巻き取ることができる。しかも、粘着フィルムＰをカットするという面倒な作業が不要となるため、当該粘着フィルムＰにゴミ等の異物を付着させず、他物を汚染させるようなことがない。
【００１３】
第１アーム６の長孔６Ｂ後端側と、第２アーム７の先端側にある巻き取りローラ３の支軸１０固定部分とには、該巻き取りローラ３の支軸１０を抜脱可能とした開放部９を有し、第１アーム６の長孔６Ｂ及び第２アーム７の支軸固定部分の開放部９はそれぞれ側方に向けられているので、第１アーム６の長孔６Ｂに沿って第２アーム７を弾性部材８の弾発力に抗して後方移動させて両アーム６，７の開放部９同士を合致させた状態にして当該開放部９から巻き取りローラ３の支軸１０を抜脱させることができる。これによって使用済みの粘着フィルムＰが捲回された巻き取りローラ３を容易に取り外すことができるばかりでなく、第１アーム６の長孔６Ｂ、第２アーム７の支軸固定部分それぞれの開放部９の向きが異なっていることで、長孔６Ｂ内に支軸が位置しているときには巻き取りローラ３をしっかりと支承しており、粘着フィルムＰの巻き取り回転中に抜出されることもない。
【００１４】
また可動スペース１２上に立脚固定したストッパーポスト１５を固定ベース５に進退自在に貫挿すると共に、固定ベース５上にはストッパーポスト１５が後退位置にあるときにストッパーポスト１５に係止するストッパー片１６をスライド自在に設けてあるので、可動ベース１２を弾性部材８の弾発力に抗して後退させた後、ストッパーポスト１５にストッパ−片１６を係止させることによって、可動ベース１２ひいては第２アーム７及び巻き取りローラ３を引き出しローラ２から離反させた状態で、それをそのまま維持できる。このため、使用済みの汚染された粘着フィルムＰが巻き取られているロール状の巻き取りローラ３の取り出しと新規な空の巻き取りローラ３とのセットと、及び空になった引き出しローラ２の取り出しと粘着フィルムＰがロール状に巻回保持されている新規な引き出しローラ２とのセットとをいずれも容易に行える。尚、空になった引き出しローラ２を新規な巻き取りローラ３として使用することもできる。
【００１５】
固定ベース５には、グリップ５Ａを備えたので、ハンディタイプとしたスクリーン版清掃装置１を容易に形成することができ、これによって例えばスクリーン印刷機にセットされたままのスクリーン版Ｑの裏面に存する滲みインク等を手作業で除去清掃でき、またスクリーン印刷機の小スペース領域での清掃も容易に行える。
【００１６】
スクリーン印刷機のスクリーン版Ｑ裏面側に引き出しローラ２が対向配置されるよう当該スクリーン版Ｑ下方側に配することで、清掃中の粘着フィルムＰ自体に皺を生じさせずに、印刷時に起こるスクリーン版Ｑ裏面の滲みインクを容易且つ完全に除去することができるスクリーン印刷機取付タイプの簡易構造によるスクリーン版清掃装置１を容易に形成することができる。
【００１７】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１８】
以下図面を参照して本考案を実施するための最良の一形態を説明すると、図において示される符号１は、スクリーン印刷機におけるスクリーン版Ｑの裏面に残置付着した滲みインクを粘着フィルムＰの粘着面Ｐ２によって転着除去するためのスクリーン版清掃装置であり、例えばスクリーン印刷機から取り外したスクリーン版Ｑの清掃が例えば手作業で容易に行えるようハンディタイプとなって形成されている。
【００１９】
このスクリーン版清掃装置１は、図１に示すように、粘着フィルムＰの粘着面Ｐ２を表にして正回転方向にロール状に捲回保持させた引き出しローラ２と、該引き出しローラ２に圧接され、粘着フィルムＰの引き出し先端側を粘着面Ｐ２を裏にして逆回転方向にロール状に巻き取り可能とした巻き取りローラ３と、これらのローラ２，３を前後に配して回転自在に支承する支持枠部材４とを備え、支持枠部材４に縮装配置の弾性部材８によって巻き取りローラ３を引き出しローラ２に圧接させるようにして構成されている。また、粘着フィルムＰは、図５に示すように、基材フィルムＰ１の片面にインクを転着させるための例えば給油性粒子を塗布した粘着面Ｐ２を形成することによって構成してある。
【００２０】
支持枠部材４は、矩形板状の固定ベース５の背面中央に円柱棒筒状のグリップ５Ａを若干斜めとなるように固定し、前面両側端には長尺な第１アーム６を相対峙状にしてそれぞれ突設させることで全体が略コ字枠状となるようにして形成してある。この両第１アーム６の先端側にはそれぞれ支承軸孔６Ａが形成され、引き出しローラ２を回転可能に支承させるよう当該ローラの筒内に挿通されたロッド状の支軸１０の両端ネジ部分を支承軸孔６Ａに内側から外方へ向けて突出させ、このネジ部分にワッシャを介して例えば蝶ナット１１をねじ込ませることで支軸１０の両端ネジ部分を第１アーム６に回転自在に支承してある。また、両第１アーム６の略中間部分は側面からみて略クランク状に形成されており、このクランク部分には、先端の支承軸孔６Ａとは別の外部に連通するよう、例えば固定ベース５側で連通した側面から見てほぼＬ字状を呈する長孔６Ｂが形成されている。
【００２１】
図２に示すように、両第１アーム６の外側に隣接して固定ベース５の両端側には、例えば合成樹脂製の円筒状のブッシュ１３が嵌め込まれ、当該固定ベース５と同じ幅員で中央に取っ手１２Ａを有する板枠状の可動ベース１２の両側に立脚したロッド１２Ｂそれぞれをこのブッシュ１３の筒孔に挿通することで、固定ベース５に可動ベース１２を固定ベース５後方で進退自在となるように配置してある。そして、該ブッシュ１３を通して前側に延出したロッド１２Ｂ先端側には、コイルスプリング状の弾性部材８をロッド１２Ｂに縮装させてから、後述する第２アーム７に連結されて、ロッド１２Ｂ先端に固定された円形状のフランジ部材１４によって当該弾性部材８を係止させてあり、弾性部材８の弾発的伸張力でフランジ部材１４を第１アーム６の先端側に押圧するようにしてある。
【００２２】
一方、フランジ部材１４の前面には、短尺な第２アーム７のＬ字状に折曲された後端がネジ止め固定され、該第２アーム７の前端に形成された支承軸溝７Ａを、第１アーム６の後端側に形成された長孔６Ｂに合致させ、巻き取りローラ３を回転可能に支承させるよう当該巻き取りローラ３の筒内に挿通されたロッド状の支軸１０の両端ネジ部分を長孔６Ｂ、支承軸溝７Ａに内側から外方へ向けて突出させ、このネジ部分にワッシャを介して蝶ナット１１をねじ込ませることで支軸１０の両端ネジ部分を固定してある。
【００２３】
こうして弾性部材８の伸張弾発力により、第１アーム６の長孔６Ｂに沿って第２アーム７を第１アーム６の先端側に付勢することで、巻き取りローラ３を引き出しローラ２側に粘着フィルムＰを介在させた状態で常に圧接した状態となるようにしてある。尚、軽量化のために、固定ベース５、可動ベース１２、第１アーム６、第２アーム７それぞれには例えば円形状の複数の開孔が形成されている。
【００２４】
また、第１アーム６の長孔６Ｂの後端側と、巻き取りローラ３の支軸１０が支承挿通されている第２アーム７先端側の支承軸溝７Ａには、切り欠き状の開放部９が外部と連通するようにしてそれぞれ形成されている。すなわち第１アーム６の長孔６Ｂの開放部９は固定ベース５側における側方に、第２アーム７の支軸固定部分である支承軸溝７Ａの開放部９も共に側方にそれぞれ向けられている。そして第１アーム６に対して第２アーム７が後退して、長孔６Ｂの後端側の開放部９外に支承軸溝７Ａの開放部９が位置すると巻き取りローラ３の支軸１０を自由に着脱できるものとなっている。
【００２５】
すなわち、蝶ナット１１のネジ締めトルクを緩めた状態で可動ベース１２の取っ手１２Ａを引いて第１アーム６の長孔６Ｂに沿って第２アーム７を弾性部材８の弾発力に抗して後方移動させ、両アーム６，７の開放部９同士を合致させた状態としてから当該開放部９から巻き取りローラ３の支軸１０を抜脱できるようにしてある（図２（ｂ）参照）。逆に、支承軸溝７Ａとの噛み合いで支軸１０を抜脱させることなく回転可能状態で支承したものとなるようにしてある（図２（ａ）参照）。
【００２６】
また、以上のように固定ベース５に対して可動ベース１２を進退させることで第１アーム６に対して第２アーム７を進退させるものとしてあり、固定ベース５から可動ベース１２を後退させることで引き出しローラ２から巻き取りローラ３を離反させたときの後退状態を保持することで、巻き取りローラ３を着脱操作させるストッパー手段が採用されている。このストッパー手段は、図３に示すように可動ベース１２上に立脚固定したストッパーポスト１５を固定ベース５に進退自在に貫挿すると共に、固定ベース５上にはストッパーポスト１５が後退位置にあるときにストッパーポスト１５に係止するストッパー片１６をスライド自在に設けて成るものである。尚、図中符号１５Ａはストッパーポスト１５面に形成した係止溝である。
【００２７】
このストッパー手段において、ストッパー片１６は自重でスライドするように配慮されており、例えばグリップ５Ａを一方の手で持ち、他方の手で取っ手１２Ａを引いて可動ベース１２を固定ベース５から後退させたとき、例えばグリップ５Ａを持っている手を捻るようにしてストッパー片１６を自重でスライドさせて係止溝１５Ａに嵌め入れさせれば良いのである。逆に第１アーム６の長孔６Ｂに第２アーム７の支承軸溝７Ａを噛み合わさせるには、可動ベース１２を僅かに引き、ストッパー片１６の係止を解放させるよう逆向きに姿勢を変更すればよく、そうすると、弾性部材８の弾発力で第１アーム６に対して第２アーム７を所定位置に復帰させるのである。
【００２８】
更に、図６に示すように、上記した実施の形態におけるスクリーン版清掃装置１を、スクリーン印刷機取付タイプとして構成しても良い。すなわち、スクリーン印刷機にセットされるスクリーン版Ｑの下方側で、水平方向に往復移動可能とするようにした走行台２１に固定ベース５側を設置して、スクリーン版Ｑ裏面側に引き出しローラ２が対向配置するように構成しても良い。この場合には、スクリーン版Ｑの横幅の長さに対応して、引き出しローラ２および巻き取りローラ３の長さを長尺に形成してあると共に、スクリーン版清掃装置１はスクリーン版Ｑの裏面に沿って走行移動されるようにしてインクの転着除去が行われるようにしている。
【００２９】
次に、以上のように構成された最良の形態についての使用、動作の一例について説明すると、図１に示すように、第１アーム６の先端側の支承軸孔６Ａに、粘着フィルムＰを捲回させてある引き出しローラ２の筒内に挿通された支軸１０の両端ネジ部分を内側から外方へ向けて突出させ、このネジ部分にワッシャを介して蝶ナット１１をねじ込ませることで支軸１０の両端ネジ部分を回転自在な支承状態で固定する。
【００３０】
そして、引き出しローラ２にロール状に捲回保持させてある粘着フィルムＰの引き出し先端を巻き取りローラ３に粘着させることで固定しておき、該巻き取りローラ３の筒内に挿通された支軸１０の両端ネジ部分を、第１アーム６の長孔６Ｂ、第２アーム７の支承軸溝７Ａそれぞれに挿通させた状態でこのネジ部分にワッシャを介して蝶ナット１１をねじ込ませることで支軸１０の両端ネジ部分を回転自在な支承状態で固定する。
【００３１】
このとき、図２（ａ）に示すように、可動ベース１２の取っ手１２Ａを引いて第１アーム６の長孔６Ｂに沿って第２アーム７を弾性部材８の弾発力に抗して後方移動させ、両アーム６，７の開放部９同士を合致させた状態としてから当該開放部９から巻き取りローラ３の支軸１０を挿入する。そして、図２（ｂ）に示すように、可動ベース１２の取っ手１２Ａを放せば、弾性部材８の弾発力に任せて第１アーム６の長孔６Ｂに沿って第２アーム７が第１アーム６の先端側に位置決め付勢されたものとなり、このようにして巻き取りローラ３が引き出しローラ２側に、引き出された粘着フィルムＰを介在した圧接状態にしておいてネジ部分にワッシャを介して蝶ナット１１をねじ込む。
【００３２】
スクリーン印刷機のスクリーン版Ｑの清掃に際し、図４に示すように、例えばスクリーン印刷機（図示せず）にセットされたままのスクリーン版Ｑの裏面に対して、グリップ５Ａを片手で持ち、粘着フィルムＰを捲回保持させた引き出しローラ２をスクリーン版Ｑ裏面側に当接させて当該引き出しローラ２を粘着フィルムＰの引き出し方向に転動させれば良く、こうすることで印刷時に起こるスクリーン版Ｑ裏面の滲みインクを転着させて除去する。このとき、引き出しローラ２に圧接されている巻き取りローラ３が当該引き出しローラ２と反対側に回転するため、粘着フィルムＰはこの粘着フィルムＰにおける汚れた粘着面Ｐ２を裏にして当該巻き取りローラ３に巻き込まれる。
【００３３】
また、インクで汚れた粘着フィルムＰを巻き取りローラ３から取り外す場合には、図２（ａ）に示すように、巻き取りローラ３の支軸１０を固定している蝶ナット１１のネジ締めを緩めると共に、可動ベース１２の取っ手１２Ａを引いて第１アーム６の長孔６Ｂに沿って第２アーム７を弾性部材８の弾発力に抗して後方移動させ、両アーム６，７における長孔６Ｂ，支承軸溝７Ａの開放部９同士を合致させた状態としてから当該開放部９から巻き取りローラ３の支軸１０を抜去すれば良い。
【００３４】
汚損された粘着フィルムＰが巻き取られている巻き取りローラ３を取り外した後は、空になっている引き出しローラ２を取り外して、これを巻き取りローラ３として噛み合わせた長孔６Ｂ、支承軸溝７Ａそれぞれでセットする一方、粘着フィルムＰが捲回されている新規な引き出しローラ２を第１アームの支承軸孔６Ａにセットすれば良い。このように、ローラ２，３を順次に位置替えしながら使用することで効率良く利用できる。
【図面の簡単な説明】
【００３５】
【図１】本考案を実施するための最良の形態を示す斜視図である。
【図２】同じく使用状態を示すもので、（ａ）は引き出しローラに巻き取りローラを圧接した状態の側面図、（ｂ）は引き出しローラから巻き取りローラを離反した状態の側面図である。
【図３】固定ベースから可動ベースを後退させ、その後退位置を保持したときの正面図である。
【図４】使用状態の一例を示す側面図である。
【図５】粘着フィルムの構成を示す要部の斜視図である。
【図６】本考案を実施するための最良の形態の他例としてスクリーン印刷機に組み込んだ場合を示し、（ａ）は使用状態の正面図、（ｂ）は使用状態の側面図である。
【符号の説明】
【００３６】
Ｐ…粘着フィルム                        Ｐ１…基材フィルム
Ｐ２…粘着面                            Ｑ…スクリーン版
１…スクリーン版清掃装置                ２…引き出しローラ
３…巻き取りローラ                      ４…支持枠部材
５…固定ベース                          ５Ａ…グリップ
６…第１アーム                          ６Ａ…支承軸孔
６Ｂ…長孔                              ７…第２アーム
７Ａ…支承軸溝                          ８…弾性部材
９…開放部                              １０…支軸
１１…蝶ナット                          １２…可動ベース
１２Ａ…取っ手                          １２Ｂ…ロッド
１３…ブッシュ                          １４…フランジ部材
１５…ストッパーポスト                  １５Ａ…係止溝
１６…ストッパー片                      ２１…走行台
【図１】
0003116334.tif 000003
【図２】
0003116334.tif 000004
【図３】
0003116334.tif 000005
【図４】
0003116334.tif 000006
【図５】
0003116334.tif 000007
【図６】
0003116334.tif 000008